Podtech/llm-jp-corpus-v4-ja_patent huggingface dataset:
(57)【要約】【目的】まな板本体の角に近い部分に、別にある包丁研ぎ器本体を取り付け、包丁の刃先を軽く研磨材にあて手前に引き包丁の刃先を鋭くし、包丁の切れ味を良くし、調理しやすくする、包丁研ぎ器付きまな板を提供する。【構成】研磨材（３）がついている包丁研ぎ器本体（２）をまな板本体（１）の端部に近い所に設ける。【選択図】        図１
2005334577.tif 000002
【特許請求の範囲】
【請求項１】
まな板本体（１）に溝を設け、まな板本体（１）の溝に包丁研ぎ器本体（２）を取り付けた、包丁研ぎ器付きまな板である。
【発明の詳細な説明】
【発明の詳細な説明】
【産業上の利用分野】
【０００１】この発明はまな板本体に、包丁研ぎ器が取り付けてあり、調理をしながらでも包丁の刃を研ぐことができる、包丁研ぎ器付きまな板である。
【背景技術】
【０００２】従来より使用されているまな板は、包丁研ぎ器と別々なものであり切れなくなった包丁の刃を研磨する場合調理と別な所で研磨するしかなかった、そのため使い勝手が悪いものである。
【発明が解決しようとする課題】
【０００３】従来の包丁研ぎ器はまな板と別々のものである、従来のまな板も同様包丁研ぎ器とは別々のものであったため、調理をしながら包丁を研磨することは簡単なことではなかった。
本発明は以上の欠点を解決するために考案されたものである。
【課題を解決するための手段】
【０００４】まな板本体（１）の角に近い部分に溝を設け、その溝に研磨材（３）の付いている包丁研ぎ器（２）を取り付ける。
以上の構成からなる包丁研ぎ器付きまな板とする。
【作用】
【０００５】ほん発明を使用する時は、まな板本体（１）に取り付けてある包丁研ぎ器（２）に包丁本体（４）の刃先を軽くあて手前に引いて使用し、包丁本体（４）の刃先を鋭くするものである。
【実施例】
【０００６】以上本発明の実施例について説明する。
まな板本体（１）の角に近い部分に溝を設け、その溝に研磨材（３）の付いている、プラスチック製の包丁研ぎ器本体（２）を取り付ける、包丁研ぎ器本体（２）に付いている研磨材（３）に包丁の刃先を軽くあて、その包丁本体（４）を手前に引き包丁本体（４）の刃先を研磨し鋭くするものである。
【発明の効果】
【０００７】本発明を使用することにより、包丁研ぎ器付きまな板で調理をしながら、包丁の刃先を研磨することが出来、包丁の切れ味を持続させることが出来る。
【図面の簡単な説明】図１    本発明の包丁研ぎ器付きまな板全体斜視図である。
（１）まな板本体。（２）包丁研ぎ器本体。（３）研磨材である。
図２    本発明の包丁研ぎ器付きまな板側面図である。
（１）まな板本体。  （２）包丁研ぎ器本体。（３）研磨材である。
図３    本発明の包丁研ぎ器付きまな板を使用するための包丁本体全体図である。
（４）包丁本体図である。
【符号の説明】
１      まな板本体
２      包丁研ぎ器本体
３      研磨材
４      包丁本体
【図１】
2005334577.tif 000003
【図２】
2005334577.tif 000004
【図３】
2005334577.tif 000005
(57)【要約】【課題】  狭い間隔に連続して設置することができる分離型のブックエンドを提供する。【解決手段】  二等辺三角形またはこれに類似する形状を成す底板に底板と同じ形状の切り込みを入れることにより狭い間隔に連続して設置することができることを特徴とするブックエンドである。【選択図】  図１
2005334576.tif 000002
【特許請求の範囲】
【請求項１】
底板に底板と同じ形状の切り込みを入れることにより狭い間隔で連続して設置することができるブックエンド。
【発明の詳細な説明】
【技術分野】
【０００１】  本発明は、底板に切り込みを入れることにより狭い間隔で３個以上を連続して設置することができるブックエンドに関するものである。
【背景技術】
【０００２】  従来、分離型のブックエンドには側面から見た形により、大きく分けてＬ字型のものと逆Ｔ字型のものとがあった。
【発明の開示】
【発明が解決しようとする課題】
【０００３】  これには、次のような問題点があった。
（イ）分離型のブックエンドには、側面から見た形により、大きく分けてＬ字型のものと逆Ｔ字型のものとがあるが、いずれも複数のブックエンドを狭い間隔に連続して設置しようしても、底板が隣のブックエンドの底板にぶつかってしまうためできなかった。
（ロ）Ｌ字型のブックエンドを２個設置する場合、底板が突出していない面同士を向かい合わせることにより、狭い間隔で設置することが可能だが、３個目のブックエンドを設置しようとする場合には、少なくとも底板の長さ以上離した位置にしか設置することができず、狭い間隔に連続して設置することができなかった。
（ハ）逆Ｔ字型のブックエンドには一般的に垂直方向の板をはさむ形に長短２個の底板が配置されているが、これを２個設置する場合、短い底板同士を向かい合わせることにより、短い底板の長さの２倍の間隔にまで狭めて設置することが可能だが、３個目のブックエンドを設置しようとする場合には、短い底板の長さに長い底板の長さを加えた間隔までしか狭めて設置することができず、狭い間隔に連続して設置することができなかった。
本発明は、この問題点を解決するためになされたものである。
【課題を解決するための手段】
【０００４】（イ）Ｌ字型のブックエンドであれば、上から見た底板の形が垂直方向の板を底辺とした二等辺三角形またはこれに類似する形状を成すように加工し、さらにこの底板に別のブックエンドの底板がはまり込む形の切り抜きを入れる。
（ロ）逆Ｔ字型のブックエンドであれば、上から見た底板の形が短い底板の端を底辺とした二等辺三角形またはこれに類似する形状を成すように加工し、さらにこの底板に別のブックエンドの底板がはまり込む形の切り抜きを入れる。
以上を特徴とするブックエンドである。
【発明の効果】
【０００５】  複数のブックエンドを同じ方向に向けて設置する場合、ブックエンドの底板の切り込みの中に、隣のブックエンドの底板がはまり込むことにより、狭い間隔に連続してブックエンドを設置することができる。
【発明を実施するための最良の形態】
【０００６】  以下、本発明の実施の形態について説明する。
（イ）Ｌ字型のブックエンドであれば、上から見た底板（１）の形が垂直方向の板を底辺とした二等辺三角形またはこれに類似する形状を成すように加工し、さらにこの底板に隣のブックエンドの底板がはまり込む形の切り抜き（２）を入れる。
（ロ）逆Ｔ字型のブックエンドであれば、上から見た底板（１）の形が短い底板の端を底辺とした二等辺三角形またはこれに類似する形状を成すように加工し、さらにこの底板に隣のブックエンドの底板がはまり込む形の切り抜き（２）を入れる。
本発明は以上のような構成で、複数のブックエンドを同じ方向に向けて設置することにより、ブックエンドの底板の切り抜きの中に、隣のブックエンドの底板がはまり込むことにより、狭い間隔に連続してブックエンドを設置することができる。また、これによりブックエンドとして使用するだけでなく、仕切り板として広範囲の用途に使用することもできる。
【図面の簡単な説明】
【０００７】
【図１】  本発明をＬ字型のブックエンドに適用した場合の使用説明図
【図２】  本発明を逆Ｔ字型のブックエンドに適用した場合の使用説明図
【符号の説明】
【０００８】    １  底板
２  切り抜き
【図１】
2005334576.tif 000003
【図２】
2005334576.tif 000004
(57)【要約】【課題】寝ていても、起きていてもずれずに頭を冷やし続ける事が出来る。【解決手段】帽子の天井を取り除き、熱を出した時に一番冷やしたい所に当たるような形にした。６つの保冷剤をつなぐことによって帽子型でありながら２つ折りにして冷凍室へ入れて保管する事が容易になった。【選択図】  図２
2005334579.tif 000002
【特許請求の範囲】
【請求項１】
氷枕、およびおでこ用の保冷剤を一体化し、帽子型としたところに特徴がある。しかも、従来のアイス枕と違い、６つの保冷剤を繋ぐことによって帽子型でありながら２つ折りにして冷凍室へ入れて保管する事が容易になった。
【請求項２】
頭の前部、後部を一度に冷やす事ができる。
帽子型にしたことによって、起き上がった時でも移動する時でもそのまま頭全体を冷やし続ける事が出来る。
【発明の詳細な説明】
【発明の開示】
【発明が解決しようとする課題】
【０００１】発熱時に、動いていても頭を冷やす事が出来る。
【課題を解決するための手段】保冷剤をつなぎあわせる事によって頭全体を冷やす事が出来る。
帽子型でありながら帽子の天井を取り除き、６つの保冷剤をつなぐことによって２つ折りにして冷凍室へ保管する事が容易になった。
【発明の効果】
【０００２】発熱時に起きていても、寝ていても頭を冷やす事が出来る。
【産業上の利用可能性】病院内の入院患者の移動中にも使用する事が出来る。
また、暑い季節、暑い場所などで使用すると熱射病などの予防効果もある。
熱を出してもじっとしていられない子供の頭を冷やす事が出来る。
繰り返し冷やして使えるため、廃棄物を少なくする。
【図面の簡単な説明】
【０００３】
【図１】帽子の天井を取って、熱などを出した時に一番冷やしたい所を冷やせるような形にした。偶数の保冷剤をつなぐことで二つ折りにし、冷凍室へ小さく収納できるようになった。
【図２】熱を出してもじっとしていられない子供、又は暑い夏の日など気持ちよく一時を過ごせるようにした。また移動したり、寝ていても動いても氷枕のようにずれたりしないような形にしてある。
【図１】
2005334579.tif 000003
【図２】
2005334579.tif 000004
(57)【要約】      （修正有）【課題】ダンスフロアに傷をつけないために装着するヒールカバーを、着用者個人がヒール台部と一緒に自分で取り替えられる事を容易にし、また、美観を損ねず、ダンス時の脱落防止効果が期待出来るヒールカバーを提供する。【解決手段】ヒール２の底にあけてあるナット５に、取り外し可能な台部８を滑り止めワッシャー９を挟んだボルト４でとめる。床を傷つけないため、ヒール部分はカバーで覆われているが、ボルトは台部カバー１０の上から固定されているので、カバーははずれない。また台部が回転しないよう、ヒール２に回転止め用ピンをさす穴６を設けて、この穴に台部の回転止め用ピン７を差し込む回転止めを施してもよい。【選択図】図４
2005334571.tif 000002
【特許請求の範囲】
【請求項１】
ヒールカバーをヒール部分にとりつけるヒール台部と一緒にボルトで着脱する事を特徴とするヒール台部。
場合によっては、ヒール台部部分の回転防止の為に、台部に突起を設けヒールに溝を設けてヒール台部突起とヒールの溝をかみ合わせる回転止めを施したものを合わせ持つ事を特徴とするヒール台部。
【発明の詳細な説明】
【技術分野】
【０００１】ダンス用シューズのヒールカバーに関する。
【背景技術】
【０００２】現在ダンスに使用されているダンスシューズにヒールカバーを取り付けるにはテープを巻き付けたり、接着剤などにより取り付けていたる。また、ヒールの台部取り付けは靴の修繕業者に依頼して釘や接着剤などで取り付けてを行っている。
【新実用新案文献１】
新実第３０６５２３５号
【新実用新案文献１】
新実第３０４４０８０号
【発明の開示】
【発明が解決しようとする課題】
【０００３】本発明が解決しようとする問題点はダンスに使用されるダンスシューズのヒールカバーは着用者個人がヒール部にテープや、押さえカバーなどにより取り付けていたるが、外観の見た目の悪さと脱落しやすさが問題である。
また、ヒール台部は釘や接着剤で取り付けており個人で取り替えることは難しく、靴の修繕業者に依頼しており、コスト面、迅速性が問題である。
【課題を解決するための手段】
【０００４】本発明はヒール台部とヒールカバーを一緒にボルトで取り付け、取り外しを行うことが可能であり、靴の修繕業者に依頼することなく、個人で取り付け、取り外しを行うことが容易に出来る。
また、テープを巻きつけて取り付けをしない為美観を損なう事がない。
また、ヒール台部部分の回転防止の為に、台部に突起を設けヒールに穴を設けてヒール台部突起とヒールの穴に差し込む回転止めを施してもよい。
【発明の効果】
【０００５】本発明を実施することに美観を損なうことなくヒールカバーを個人で着脱容易にする効果が期待できる。
【発明を実施するための最良の形態】
【０００６】本発明を実施する為の最良の形態としては、ダンスシューズのヒール台部とヒールカバーをヒールに一緒にボルトで着脱する事を可能とするもの。
【実施例】
【実施例１】
【０００７】本発明の一実施例を図を用いて説明する。
図１〜４に示す実施例は、ヒール（２）の底にあけてあるナット（５）に取り外し可能な台部（８）を、滑り止めワッシャー（９）を挟んだボルトをとめるものである。
床を傷つけないため、ヒール部分はカバーで覆われているが、ボルトは台部カバー（１０）の上から固定されているので、カバーははずれない。
また台部が回転しないよう、ヒール（２）に回転止め用ピンをさす穴（６）を設けて、この穴に台部の回転止め用ピン（７）を差し込む回転止めを施してもよい。
〔図２〕ヒールカバー１０と台部８には穴が開けてあり、台部８とヒールカバー１０の穴を合わせてかぶせ、その穴にボルト４にワッシャー９を通おし、ヒール３にボルト止めする。
ボルト止めを行うにはドライバーを使用して行うことが可能であり、容易に着脱可能となっている為、個人でカバーを交換するのに適している。
【図面の簡単な説明】
【０００８】
【図１】カバー取り付け後の、シューズの外観の側面図
【図２】取り付け部材ひとつひとつの拡大図
【図３】カバー取り付け後の、シューズ内透視の側面図
【図４】カバーをはずした、パーツごとのシューズの透視側面図
【図５】取り付け部材ひとつひとつの内透視の拡大図
【図６】取り付け部材の底からの拡大図
【符号の説明】
【０００９】１．女性用ダンスシューズ
２．ヒール
３．化粧部材
４．ボルト
５．ナット
６．回転止めピン用の穴
７．回転止め用ピン
８．台部
９．滑り止めワッシャー
１０．  台部カバー
【図１】
2005334571.tif 000003
【図２】
2005334571.tif 000004
【図３】
2005334571.tif 000005
【図４】
2005334571.tif 000006
【図５】
2005334571.tif 000007
【図６】
2005334571.tif 000008
(57)【要約】      （修正有）【課題】従来の幼児用傘は一般の傘同様、傘を差す本人が傘を支えることを前提としたつくりになっていた。しかし実際に幼児用傘を差す２才・３才の幼児が本人だけで傘を差して歩くことは難しく風がふいたりすると非常に不安定で周囲の歩行者にとっても危険であった。そこで幼児が傘を拡げた状態で同伴者が幼児の傘を容易に安定、補助できる、取っ手機能を有した石突き提供する。【解決手段】石突き２の形状をＴ型やＯ型等、大人の指先を容易に引っかけることが出来る成形を施した。【選択図】  図１
2005334573.tif 000002
【特許請求の範囲】
【請求項１】
取っ手機能を持つことを特徴とする幼児用傘の石突き。
【発明の詳細な説明】
【技術分野】
【０００１】この発明は幼児が傘をさした状態での歩行を、同伴者が容易に介添えできる取っ手機能を持った石突きに関するものである。
【背景技術】
【０００２】従来の幼児用傘の石突きは一般の傘の石突き同様、棒状および円錐型のものがほとんどで取っ手としての機能を有するものでは無かった。そのため幼児が初めて傘をさした場合でも同伴者が歩きながら幼児の傘さし歩行を補助するための適当な取っ手はなく同伴者は骨やビニル部分を掴んだり、しゃがみ込んで補助したりしていた。
【発明が解決しようとする課題】
【０００３】幼児にとって傘をさすのは難しく非常に不安定で危険でもある。同伴者が風が吹いたり、脇を車が通る時に危険を感じて幼児の傘を掴もうとしても適当な取っ手がなく、本来のグリップ部分を持とうとすると、身長が大きく違うので同伴者は、しゃがみ込む姿勢になり歩くこと自体に支障をきたしていた。本発明は以上のような欠点をなくすためになされたものである
【課題を解決するための手段】
【０００４】幼児が持つ傘を、保護者および同伴者が自らも傘をさして歩きながら容易に指先で幼児の傘を持ち上げたり、補助するための適当な箇所として石突きが候補に挙げられた。この石突き部分にＴ型やＯ型など、大人の指先を容易に引っかけることが出来る成形を施した。
【発明の効果】
【０００５】身長１メートルに満たない幼児と保護者が各々傘をさして歩いている状態で、幼児の傘が風にあおられ不安定になった場合でも同伴者はとっさに掴みやすい形状に成形された石突きを掴んで幼児の傘を安定させることが可能になった。
【発明を実施するための最良の形態】
【０００６】以下、本発明の実施例について説明する。石突きの形状を、適当な大きさのＴ型やＯ型やＪ型等、保護者が指を容易に引っかけて持ち上げやすい形状に成形する。更に親しみをもてるようハート型や動物などをモチーフにした型に成形することもできる。また、既に市販されている取っ手機能を持たない一般の幼児用傘の石突きの場合でも、樹脂やプラスチック等適当な素材を用いて装着式の石突きを成形し、あっ着や接着などで後から装着することも可能である。
【図面の簡単な説明】
【０００７】
【図１】本発明の斜視図である。
【符号の説明】
【０００８】１  幼児用傘
２  ハート型の石突き
【図１】
2005334573.tif 000003
(57)【要約】【課題】本発明は、関節内部ならびに周囲の広い範囲を任意の角度から牽引し、刺激を与えることによって、治療効果を高めるものである。【解決手段】牽引式治療器において移動可動な滑車にワイヤーを懸架し、滑車を移動させることによりワイヤーの角度が変えられるようにする。つまり、牽引方向を変えることができるわけであるが、これを利用し、上肢を任意の角度から牽引し治療することを可能にする。【選択図】図１
2005334572.tif 000002
【特許請求の範囲】
【請求項１】
イ）動力源を有し、該動力源により往復運動を可能とする紐状部を有し、該紐状部の一端に手首周辺の任意部分を固定するための固定手段を有する。
ロ）移動可能な滑車を有し、該滑車が移動するための動力源と、該滑車が移動するための手段と該滑車が任意の位置に固定される手段を有する。
ハ）（イ）における紐状部は（ロ）における滑車に懸架される。
以上のごとく構成された関節牽引治療器。
【請求項２】
イ）動力源を有し、該動力源により往復運動を可能とする紐状部を有し、該紐状部の一端に手首周辺の任意部分を固定するための固定手段を有する。
ロ）移動可能な滑車を有し、該滑車が移動するための動力源と、該滑車が移動するための手段と該滑車が任意の位置に固定される手段を有する。
ハ）（イ）における紐状部は（ロ）における滑車に懸架される。
ニ）治療対象者が紐状部の牽引方向へ引き込まれるのを抑止するための手段を有する。
以上のごとく構成された牽引式治療器。
【請求項３】
イ）動力源を有し、該動力源により往復運動を可能とする紐状部を有し、該紐状部の一端に手首周辺の任意部分を固定するための固定手段を有する。
ロ）１個以上の滑車が配された構造体を有する。
ハ）（イ）における紐状部は（ロ）における滑車に懸架される。
ニ）（ロ）の滑車の位置により（イ）紐状部による牽引方向を変化させる手段を有する。
以上のごとく構成された関節牽引治療器。
【請求項４】
イ）動力源を有し、該動力源により往復運動を可能とする紐状部を有し、該紐状部の一端に手首周辺の任意部分を固定するための固定手段を有する。
ロ）１個以上の滑車が配された構造体を有する。
ハ）（イ）における紐状部は（ロ）における滑車に懸架される。
ニ）（ロ）の滑車の位置により紐状部による牽引方向を変化させる手段を有する。
ホ）治療対象者が紐状部の牽引方向へ引き込まれるのを抑止するための手段を有する。
以上のごとく構成された牽引式治療器。
【発明の詳細な説明】
【技術分野】
【００１】本発明は、関節を牽引し伸ばすことにより患部の凝りをやわらげる治療器についてである。
【背景技術】
【００２】肩凝りをほぐす場合、多くの治療器は、皮膚上から患部を刺激し治療しようとする。この場合、治療対象が体表面的で局所的になってしまうため、効果的な作用はなかなか期待できない。整形外科へ通ってもせいぜい頸椎牽引をする程度である。本来はストレッチ等の身体全体もしくは肩全体を動かす等の、刺激が周囲の広範囲な部位にまで行き渡る運動を自ら行うのが最良の手段だと思われる。しかしながら、なかなかおっくうでそううまくいかない。よって、凝りはたまる一方である。
【発明の開示】
【発明が解決しようとする課題】
【００３】任意の角度からの上肢牽引を可能にし、肩関節を伸ばし開くことにより、広範囲で深い部位に刺激を与え、凝りを和らげる。
【課題を解決するための手段】
【００４】牽引角度の変更可能な牽引治療器を提供し、効果的な治療を行う。
【発明の効果】
【００５】関節周囲の広い範囲の組織が牽引され伸ばされ、刺激されるので治療効果が大きい。
【発明を実施するための最良の形態】
【００６】治療者対象者の手首付近にベルトをつけ、該ベルトをワイヤーの一端に固定する。該ワイヤー別の一端に往復運動を可能とさせるための動力源を接続する。水平部分と垂直部分を有する構造体の任意の部分に位置できる滑車を設け、該滑車に先のワイヤーを懸架する。治療対象者は身体を固定と引き込み抑止を目的とし設けられたガイドを隔てて、牽引方向の反対の場所に位置する。その位置にて牽引治療を受ける。
【実施例】
【００７】図１、図２にしたがって説明する。
イ）支柱（５）に滑車（１）が動く経路と該滑車（１）を動かす為のチェーン（８）を設け、該チェーン駆動用の動力源（４）を設ける。
ロ）前記滑車（１）にワイヤー（２）を懸架し、該ワイヤー（２）の一端に治療対象者（９）の手首に巻き付けるベルト（７）を取り付け、他の一端にはワイヤー（２）を往復運動せしめるための動力源（３）を設ける。
ハ）治療対象者（９）が牽引時、牽引方向へ引き込まれるのを抑止するためのガイド（６）を設ける。
【図面の簡単な説明】
【００８】
【図１】滑車の移動を自動にする場合を横から見た図。
【図２】滑車の移動を自動にする場合を前から見た図。
【図３】滑車の移動を自動でしない場合を横から見た図。
【図４】滑車の移動を自動でしない場合を前から見た図。
【符号の説明】
【００９】          １、１１    滑車
２、１２    ワイヤー
３、１３    ワイヤーの往復運動の動力源
４          滑車の移動の動力源
５、１５    支柱
６、１６    引き込み抑制ガイド
７、１７    手首に巻き付けるバンド
８          滑車を移動させるチェーンとそれが納まるレール
９、１９    治療対象者
【図１】
2005334572.tif 000003
【図２】
2005334572.tif 000004
【図３】
2005334572.tif 000005
【図４】
2005334572.tif 000006
(57)【要約】      （修正有）【課題】単なる睡眠の補助用具としてではなく身障者や、老人や子供達に適用し、積極的に健康や運動機能や知能発達を助長する健康マットを提供すること。【解決手段】ベースシート１とゴム状シート２の中に、空気を沢山含んだ状態で発泡ウレタン８を反復弾性椀７との間に配置し、反復弾性体をベースシートに固定する。反復弾性帯椀が押圧された時は空気弁６が閉じて、笛４から通気口１５に流れ、笛からそれぞれの音が出るようにする。足５を離すと反復弾性体の復帰力で空気弁が開いてベースシートの下面から空気が吸入されてゴム状シートは復元するようにし、空気ドームは通常の１オクターブの音を出すように構成する。【選択図】図１
2005334582.tif 000002
【特許請求の範囲】
【請求項１】
弾力性のあるプラスチック又はゴムなどのシートを部分的に椀上に膨らませ、内部には発泡材を入れクッションとし、その内部には複数の穴の開いた椀状の復元力を持った部材を固定し、その中に空気吸い込み口と逆止弁があり、また、足や手で押圧したときに空気抜けパイプを取り付け、このパイプを空気が通ると、表面に表示してある音階の音を発する笛となる構造を持った健康マット。
【発明の詳細な説明】
【発明の詳細な説明】
【産業上の利用分野】
【０００１】  身障者のリハビリ、老人の運動不足補助、子供の知能発達を促進等のための用具に関するものである。
【背景技術】
【０００２】  従来の水マットや空気マットは、寝具として使用され、その特性であるクッションを利用して良い睡眠を得るためや床ずれをなくす等の健康マットは種々開発されている。
【発明が解決しようとする課題】
【０００３】  本発明は、単なる睡眠の補助用具としてではなく、身障者や、老人や子供達に適用し、積極的に健康や運動機能や知能発達を助長しようとするものである。
【課題を解決するための手段】
【０００４】  本発明は、上記の課題を解決するために、椀状に膨らんだゴム質のもので形成し、これを踏むことによって、身障者や老人の平衡感覚や運動機能を積極的に助長し、足のツボを刺激することにより老化を防止し、又、子供に適用すれば、平衡感覚と脳の発達を促進し、それに音階のついた音を発することにより、記憶力や音楽的な素養を身につける等により課題を解決するものである。
【作用】
【０００５】  人間は、不安定な上で歩行をするとバランスを崩し、それを立て直そうとするには、全身の筋肉を使うために全身の運動になると同時に、平衡感覚を養い、脳を刺激しボケ防止にも効果がある。又、足の裏を刺激する事により、健康上も効果がある。
本発明は、特に幼児や幼稚園児などを対象とし、椀状の膨らみに足や手で押圧すると音階のある音が出る為に、飽きずに飛んではしゃいでいる内に自然と音楽的な素養も身に付き、記憶力や脳の発達に大きな効果がある。従って、子供のいる家庭や保育園や幼稚園等でも使用されることが望ましい。
【実施例】
【０００６】  本発明を実施例を示す図面により説明する。
（図１）は本発明の一実施例の主要部を示す断面図で、１，はベースシートで、２，ゴム状シートよりは、少し厚めのものを使用する。２，ゴム状シートは、或程度丈夫で伸縮する部材（例えばビニール）を使用する。２，ゴム状シートの中には８．発泡ウレタンが空気を沢山含んだ状態で７，反復弾性椀との間に配置され、７，反復弾性体は、１，ベースシートに固定される。従って、５，足で踏んでも元通り復元する。７，反復弾牲椀には小さい穴が沢山開いていて、空気が流通するようになっている。又、７，反復弾性椀が押圧された時は６，空気弁が閉じて４，笛から１５，通気口に流れ、４，笛からそれぞれの音が出る。５，足を離すと、７，反復弾性椀の復帰力で６，空気弁が開いて１，ベースシートの下面から空気が吸入されて２，ゴム状シートは復元する。４，笛は表示名の音階を出すようにする。１２，空気ドームは通常の１オクターブの音を出し、１４，空気ドームは下のの音階、１３，空気ドームは上の音階を出す。１２，１３，１４，の空気ドームは色分けして判りやすくする。
１１，１２，はマジックファスナーで、（図２）のブロックを連結し複数の子供達が同時に合奏することもできる。９，は１，ベースマットを浮かす為の突起である。又（図２）の音階表示は一例である。
【発明の効果】
【０００７】  本発明は、簡単な用具で大きな効果を得ることにある。即ち、子供達が日常生活の中で、この運動マットの上で遊ぶだけで「平衡感覚」「反射神経」「運動神経」「体力増進」「知能発育」「記憶力増進」「音感教育」など自然に養われる。又、子供達が飽きないでいつまでも遊んでいられることで、その上テレビゲームと違い、前記のような効果があり、危険性が全くないことから、安心して与えられる。又、身障者のリハビリや老人の運動不足解消、ボケ防止にも有効である。
【図面の簡単な説明】
【図１】  本発明の一実施例の主要部を示す断面図
【図２】  その平面図
【符号の説明】
１．ベースシート                      ８．発泡ウレタン
２．ゴム状シート                      ９．突起
３．高周波溶着のシーム              １０．マジックファスナー
４．笛                              １１．同上
５．人間の足                        １２．空気ドーム
６．逆止弁                          １３．同上
７．マジックファスナー              １４．同上
１５．通気口
【図１】
2005334582.tif 000003
【図２】
2005334582.tif 000004
(57)【要約】【課題】ゴルフグリップと手との滑り及び緩みをなくし、安全でかつ正確なショットが出来ることを提供する。【解決手段】ゴルフクラブのグリップ上の２箇所の表側（親指と人差し指で挟む）と裏側（人差し指、中指、薬指、小指で挟む）に固定された、弾力性のある素材で形成された突起部をもつプレートを把持することで滑りを止める。【選択図】図１
2005334587.tif 000002
【特許請求の範囲】
【請求項１】
ゴルフクラブのグリップ上の２箇所（親指と人差し指で挟む側とその反対方向の人差し指、中指、薬指、小指で挟む側）に弾力性のある素材で形成された、突起部をもつプレートを固定し、それを把持することで滑りを止める。
【請求項２】
ゴルフクラブのグリップ上に固定される、突起部をもつプレートのグリップ上での占有スペースを最小にするため、形状を帯状として把持しやすくした。更には表側（親指と人差し指で挟む側）と裏側（人差し指、中指、薬指、小指で挟む側）のプレートのサイズを変え、グリップ上で最小の握り形状が出来るようにした、請求項１のゴルフクラブのグリップの滑り止め。
【請求項３】
ゴルフクラブのグリップ上の２箇所（親指と人差し指で挟む側とその反対方向の人差し指、中指、薬指、小指側で挟む側）の突起部をもつプレートは弾力性に優れたゴム等の素材で形成される。突起部をもつプレートをグリップ上に固定するためのネット（網目形状）は伸縮性のある素材で形成され、プレイヤーの体格等により突起部をもつプレートの位置関係が変化しても対応できる、請求項１〜請求項２のゴルフクラブのグリップ滑り止め。
【請求項４】
ゴルフクラブのグリップ上で表側（親指と人差し指で挟む側）の突起部をもつプレートのサイズは長さ３５ミリ〜４５ミリ、幅１８ミリ〜２５ミリ。裏側（人差し指、中指、薬指、小指で挟む側）の突起部をもつプレートのサイズは長さ１００ミリ〜１５０ミリ。突起部のサイズは、底面の直径は４ミリの円すい型で、高さはプレート上３．５ミリ〜５．０ミリ。突起部の配置ピッチは長辺方向７ミリ、短辺方向１０ミリ。以上のサイズで手に対する密着度を高くした請求項１〜請求項３のゴルフクラブのグリップ滑り止め。
【発明の詳細な説明】
【技術分野】
【産業上の利用分野】
【０００１】本発明は、ゴルフプレー中の雨、長時間プレーでの疲労、高齢者の握力減退、等によるグリップの緩み、更には滑りの現象を回避させるものである。
【背景技術】
【０００２】従来のゴルフクラブのグリップは、ゴム製、皮製があり、いずれのクラブにも多少の凹凸がグリップ全面にあったが、ゴルフプレーの環境が天候その他の理由で悪化した場合、プレーヤーの手とグリップとの間で滑り、緩みが発生し、確実なショットが出来なかった。
【発明が解決しようとする課題】
【０００３】ゴルフクラブのグリップ上には大きな凹凸がないため、強いグリップ力が要求されるテイクバックからインパクトまでの一連の動作で、遠心力及びインパクト時の強い衝撃等を受け、グリップが緩み、正確なショットが出来なくなる。
【０００４】また雨で滑った場合にはゴルフクラブが手から離れ危険な状態となる。本発明は以上の欠点を解決するためのものである。
【課題を解決するための手段】
【０００５】本発明では、ゴルフクラブのグリップ上の２箇所の表側（親指と人差し指で挟む）と裏側（人差し指、中指、薬指、小指で挟む）に弾力性のある素材で形成された突起部をもつプレートを固定し、そのプレートをプレーヤーが表側と裏側とから挟みこむ形態で把持し、滑りと緩みを解決する。
【作用】
【０００６】突起部を持つプレート（２）、（３）は弾力性のある素材で形成されており、グリップを表側（親指と人差し指で挟む）と裏側（人差し指、中指、薬指、小指で挟む）とから握り締めたとき、手の中に突起物が食い込むフィット感を得られる。また、スイングのベースとなるグリップはコンパクトに収まっていることが最も重要であり、本発明では突起部をもつプレートを帯状にし、小さいグリップの形状を提供した。
【実施例】
【０００７】以下、本発明の実施例を図１に基づいて示す。
図１の２の突起部を持つプレートは人差し指から小指にかけてのラインに収まり、突起部が手に食い込むように密着する。３は親指と人差し指の間でグリップを締め付けたとき手に食い込むように密着する。４は突起部を持つプレート２，３をゴルフグリップに固定するネットであり、伸縮性に富んだゴム等の素材で形成し、突起部を持つプレート２，３の位置を自在に調整できる着脱自在の機能を有する。この機能を活かし、突起部を持つプレートとそれを固定するネットの組み合わせで、車のハンドル、また耐熱性に優れた素材でプレート及びネットを形成し、料理用器具（フライパン、鍋の取っ手等）にも応用できる。
【発明の効果】
【０００８】本発明により、握力に不足感がある人であっても手元（グリップ）が緩まず、スイングがブレることなく安定したショットが出来る。悪天候の中でも滑りがなく安心してプレーが楽しめる。
【図面の簡単な説明】
【０００９】
【図１】本発明のゴルフクラブのグリップの斜視図
【図２】図１のＣ斜視図
【図３】突起部をもつプレート３の拡大図
【図４】突起部をもつプレート２の拡大図
【図５】突起部をもつプレートを固定するネット
【符号の説明】
【００１０】１ゴルフクラブ本体
２突起部をもつプレート裏側（人差し指、中指、薬指、小指で挟む）
３突起部をもつプレート表側（親指と人差し指で挟む）
４突起部をもつプレートを固定するネット
【図１】
2005334587.tif 000003
【図２】
2005334587.tif 000004
【図３】
2005334587.tif 000005
【図４】
2005334587.tif 000006
【図５】
2005334587.tif 000007
(57)【要約】【課題】硬貨の収納と取り出しが容易で、防犯面にも考慮したコインホルダーを提供する。【解決手段】コインホルダー本体は両端のスライドガイドによりサンバイザーの裏側に取り付けられる。硬貨はコインホルダー本体上部の投入口よりコインホルダー本体の硬貨保持空間に挿入され、硬貨ストッパーにより保持される。使用時はサンバイザーを下げることによりコインホルダー本体が自重でスライドガイドに添って移動し、コインホルダー本体下部の硬貨取り出し口を露出させる。コインホルダー上板を透明な素材にすることにより金種が確認できるので、硬貨取り出し口に設けられた切り欠きより目的の硬貨を指で挟んで取り出す。使用後は露出した硬貨取り出し口を押し込み、サンバイザーを上げることにより外部より視認不可能な位置にコインホルダー本体を収納する。【選択図】図１
2005334584.tif 000002
【特許請求の範囲】
【請求項１】
自動車等の車両のサンバイザー裏側に取り付けることによって扱い易さや防犯効果が高まることを特徴とするコインホルダー。
【請求項２】
サンバイザーを下ろすことによって自動的に硬貨取り出し口が露出することを特徴とする請求項１記載のコインホルダー。
【請求項３】
コインホルダー前面を透明にすることによって金種や残額が確認しやすいことを特徴とする請求項１、または請求項２記載のコインホルダー。
【発明の詳細な説明】
【技術分野】
【０００１】  この発明は、自動車等の車両に日除けとして備えられているサンバイザーに取り付け、使用時は扱い易く、未使用時は目立たないコインホルダーに関する。
【背景技術】
【０００２】  従来のコインホルダーは各金種の硬貨をまとめて保留し、インスツルメントパネル上、またはグローブボックス内等に取り付けられ通行料金等の支払いに使用されている。
【発明の開示】
【発明が解決しようとする課題】
【０００３】  しかしながら、以上の技術によれば、インスツルメントパネル上への設置では車外から視認されるため、未使用時には硬貨を取り外す必要がある。または目立たないグローブボックス内等への設置では扱いづらい場所しか無い。そこで、この発明は使用時は扱い易く、未使用時は目立たないコインホルダーを提供することを課題とする。
【課題を解決するための手段】
【０００４】  以上の課題を解決するために、第一発明はサンバイザーに取り付けたことを特徴とするコインホルダーである。第二発明は、サンバイザーを下げた時に、自重により自動的に取り出し口が露出することを特徴とするコインホルダーである。第三発明は、前面を透明にすることによって金種や残額が確認しやすいことを特徴とするコインホルダーである。
【発明の効果】
【０００５】  第一発明によれば、サンバイザー裏側に設置したため使用時は眼前で操作しやすく、未使用時には車外から視認されにくい。第二発明によれば、サンバイザーを下げることにより自動的に硬貨取り出し口が露出するため操作がしやすい。またコインホルダー本体の自重のみで作動するため構造が簡単で製作しやすく故障しにくい。第三発明によれば、未使用時にサンバイザーにより遮蔽されるため、コインホルダー本体前面を透明な素材で製作することができ金種や残額が確認しやすい。
【発明を実施するための最良の形態】
【０００６】  本考案のコインホルダーの実施例を図１、図２を用いて説明する。【０００７】  １は車両のサンバイザーであり一般的な車両に日除け目的で取り付けられた公知の構造である。【０００８】  ２はコインホルダー本体であり透明な素材で形成されたコインホルダー上板２ａとコインホルダー下板２ｂとで構成され、両板の間に設けられた硬貨保持空間３により金種別に硬貨を保持する。硬貨保持空間の上部には硬貨投入口４を設け、保持しようとする硬貨を投入する。硬貨保持空間の下部にはコインホルダー上下両板の間隔を狭めた硬貨ストッパー５を設け、使用時に硬貨の自重による落下を抑える。【０００９】  ７はスライドガイドでありスライドストッパーとなる凹部とコインホルダー本体の凸部とを噛み合わせコインホルダー本体の左右端を挟みこむ。この状態で金具等を使用しサンバイザー裏側に固定する。コインホルダー本体の凸部よりスライドガイド側の凹部を長くすることによりコインホルダー本体が自由に移動可能となる。【００１０】  図１に示すように使用時にはサンバイザーを下ろす。以上の操作のみで移動可能なコインホルダー本体が自重により下がり硬貨取り出し口６が露出する。なお、スライドガイドによりコインホルダー本体の移動が制限されるため硬貨取り出し口が必要以上に露出することはなくサンバイザー本来の機能を損なうことがない。【００１１】  コインホルダー上板を透明な素材で形成することにより金種の確認ができるので硬貨取り出し口に設けられた切り欠きより目的の金種を指で挟んで硬貨ストッパーを通過させ取り出す。以上の操作を必要な金額になるまで繰り返し通行料等の支払いに使用する。【００１２】  使用後は硬貨取り出し口を押し込みサンバイザーを上げることでサンバイザーにより遮蔽され外部から視認されなくなる。
【考案の効果】
【００１３】  以上のように本考案によればコインホルダーをサンバイザー裏側に取り付けて使用できるようにしたことにより眼前で操作でき金種の確認も容易、かつ未使用時の取り外しも不要で外部より視認されなくなり防犯面でも安全である。また硬貨保持空間の幅を変えるこにより硬貨以外、例えば通行料金支払いカード等の収納も可能なので発展性も期待できる。
【図面の簡単な説明】
【００１４】
【図１】本発明の使用状態を示す正面図である。
【図２】本発明の形状と構成を示す斜視図である。
【符号の説明】
【００１５】１    サンバイザー
２    コインホルダー本体
２ａ  ホルダー上板
２ｂ  ホルダー下板
３    硬貨保持空間
４    硬貨投入口
５    硬貨ストッパー
６    硬貨取り出し口
７    スライドガイド
【図１】
2005334584.tif 000003
【図２】
2005334584.tif 000004
(57)【要約】      （修正有）【課題】フライパン・手鍋で調理する場合、調理箸やフライ返しなどの調理具を使うが、調理中に一時的に置く手段がなく、置くには別の場所に置く必要があった。そのまま置きとどめると火が調理具の柄に直接当たり、柄を焦がしてしまう。これを、フライパン・手鍋から離さずに調理具を置く事ができるようにする。【解決手段】フライパン及び手鍋の取っ手の付け根に二股の突起、または取っ手に凹状の溝を設けることで、そこに調理具の柄をはめ込んで固定し、取っ手の上に平行に置く事ができる。【選択図】図１
2005334583.tif 000002
【特許請求の範囲】
【請求項１】
取っ手の付け根に上向きの二股の突起、または取っ手に上向きの溝を持ち、間に調理具を固定して、取っ手の上に平行に調理具を置ける機能を備えたフライパン及び手鍋。
【請求項２】
接合部付近に二股の突起、または自体に上向きの溝を持ち、そこに調理具を固定して、自体の上に平行に置ける機能を備えたフライパン及び手鍋の取っ手。
【請求項３】
フライパンまたは手鍋の取っ手付け根付近に取り付けるものであって、上向きの二股の間に調理具を固定して、取っ手の上に平行に置けるようにするもの。
【発明の詳細な説明】
【技術分野】
【０００１】この発明は、フライパン及び手鍋の取っ手の付け根に二股部分、または取っ手自体に溝を設け、そこにフライ返しなどの調理具をはめ込んで、調理中でも火を消さず置けるようにしたものである。
【背景技術】
【０００２】従来のフライパン・手鍋の取っ手は、鍋部が高温でも扱えるように取っ手を取り付けてあるだけのものであった。フライパン・手鍋に関して調理具を置ける機能は、従来の例には見られない。
【発明の開示】
【発明が解決しようとする課題】
【０００３】しかしながら以上の技術によれば、調理箸・フライ返し・おたまなどの調理具を調理中に一時的に置くことが出来ず、置くには一度鍋から調理具を離して別のところに置くなどする必要があり、特に野外での調理を行う場合、調理具を置く場所に困るといった問題があった。そのまま鍋の周りに調理具を置きとどめると、柄の部分にコンロの炎が直接当たってしまい調理具が焼けるなどした不都合があった。
そこでこの発明は、炎に当たらずに調理具を一時的にフライパン・手鍋自体に置けるようにすることを課題とする。
【課題を解決するための手段】
【０００４】以上の課題を解決するために、第一発明は、取っ手の付け根に二股の突起を持つフライパン・手鍋である。（図１）
また、第二発明は、取っ手自体に上向きの溝を持つフライパン・手鍋である。（図２）
【発明の効果】
【０００５】第一発明または第二発明によれば、取っ手にある二股部分または溝に調理具の柄を固定することができ、取っ手と平行に調理具を置くことができるため、余分な場所を汚すことがない。また、取っ手の上に置くため調理具は炎にも当たらず機能的である。
【発明を実施するための最良の形態】
【０００６】この発明の一実施形態を図１、図２に示す。
鍋１は金属製であり、この鍋１の側面にはネジおよび鋲、または脱着式によって取っ手２または溝付き取っ手３が取り付けられている。図１には付け根の部分に調理具置き４、図２には取っ手自体に溝５があり、それらに調理具６の柄を固定することで、図１の示すように調理具を取っ手に平行に置けるようにする。【０００７】「実施形態の効果」
この実施形態によれば、調理箸・フライ返し・おたまなどの調理具を取っ手の上に寝かせて置くことができ、また取っ手が炎を遮ることで調理具が熱く焼けたり焦がすことがない。【０００８】「他の実施形態」
図１では二股の調理具置きによって調理具を置くが、この代用として取っ手の付け根付近の形状が上方に隆起して、その隆起部分が二股に分かれている形状でも良い。
また、図２では取っ手の全長にわたり溝が書かれているが、取っ手の付け根近くの一部にのみの溝であっても良い。
【図面の簡単な説明】
【０００９】
【図１】調理具を置いた時の図である。
【図２】この発明の一実施形態を示すものである。
【符号の説明】
【００１０】    １  鍋部                ２  取っ手
３  溝付き取っ手        ４  調理具置き
５  溝                  ６  調理具
【図１】
2005334583.tif 000003
【図２】
2005334583.tif 000004
(57)【要約】【課題】  コラーゲンやエスチランを多く産生させるために、皮膚に存在する繊維芽細胞の活性度を向上させて、効率的な肌改善を行う美容機器を提供する。【解決手段】  生体の皮膚を物理的に刺激するための物理刺激手段１、前記物理刺激手段１を操作する美容機器本体２から構成されており、物理刺激手段１を肌改善を必要とする部位に押し当てて、皮膚に存在する線維芽細胞が刺激されて活性化し、コラーゲンやエスチランの産生が促進されるようにしている。【選択図】図１
2005334517.tif 000002
【特許請求の範囲】
【請求項１】
生体の皮膚を物理的に刺激するための物理刺激手段を設け、皮膚に存在する線維芽細胞によるコラーゲンおよびエラスチンの産生促進させるようになしたことを特徴とする美容機器。
【請求項２】
前記物理刺激手段は、熱刺激であることを特徴とする請求項１に記載の美容機器。
【請求項３】
前記熱刺激は、照射された光により発生した熱であることを特徴とする請求項２に記載
の美容機器。
【請求項４】
前記熱刺激は、蒸気による熱であることを特徴とする請求項２に記載の美容機器。
【請求項５】
前記物理刺激手段は，振動刺激であることを特徴とする請求項１に記載の美容機器。
【請求項６】
前記振動刺激手段は、超音波振動を発生させて、前記超音波振動を皮膚に与えるもので
あることを特徴とする請求項５に記載の美容機器。
【請求項７】
前記物理刺激手段が，電気刺激であることを特徴とする請求項１に記載の美容機器。
【請求項８】
皮膚に存在する線維芽細胞に物理刺激を与えて、コラーゲンおよびエラスチンの産生促進させることを特徴とする美容方法。
【発明の詳細な説明】
【技術分野】
【０００１】
本願発明は、皮膚表面から物理刺激を与えて肌状態の改善をはかるの美容機器に関するものである。
【背景技術】
【０００２】
一般に、この種の美容機器は、温熱等の物理刺激を皮膚に与え、体内の血流量を増大させたり、皮膚表面の保湿量を上げたりして、皮膚の皺を除去する効果をを与えるものなどがある。（特許文献１）
一方、最近では抗老化の研究も進み、皮膚の皺や弾性力などは、皮膚真皮層に存在するコラーゲン繊維などが影響していることが解明されつつあり、コラーゲンを多く産生させて皮膚の皺や弾性力などを改善しようという研究が行われている。
【特許文献１】特表平１１−５０４８２８号公報
【発明の開示】
【発明が解決しようとする課題】
【０００３】
本願発明は、コラーゲンやエスチランを多く産生させるために、皮膚中の繊維芽細胞の活性度を向上させて、効率的な肌改善を行う美容機器を提供することである。
【課題を解決するための手段】
【０００４】
上記課題を解決するために、生体の皮膚を物理的に刺激するための物理刺激手段を設け、皮膚に存在する線維芽細胞によるコラーゲンおよびエラスチンの産生促進させるようにしている。
【発明の効果】
【０００５】
したがって、本願発明の美容機器においては、皮膚に存在する線維芽細胞に物理刺激を与えて、線維芽細胞の活性度を向上させ、コラーゲンやエスチランの産生を促進することができるので、効率的に肌の改善を行うことができる。
【発明を実施するための最良の形態】
【０００６】
図１乃至図２は、本願発明の一実施形態である美容機器を示している。図１は、美容機器の構成を示す説明図であり、図２は、美容機器本体を説明する説明図である。
【０００７】
この実施形態の美容機器は、生体の皮膚を物理的に刺激するための物理刺激手段を設け、皮膚に存在する線維芽細胞によるコラーゲンおよびエラスチンの産生促進させるようにしている。
【０００８】
美容機器は、肌に物理刺激を与える物理刺激手段１、前記物理刺激手段１を操作する美容機器本体２から構成されている。美容機器本体２は、超音波照射部、低周波電極部、熱伝達部、光照射部等の物理刺激手段１、物理刺激を発生させるための物理刺激発生回路（超音波発振回路、低周波発生回路、熱発生回路、光波長発振回路）、更に、前記物理刺激発生回路を制御する制御回路、電力を供給する電源部が備えられている。図２では、上記すべての物理刺激手段を有する装置となっているが、単一や組み合わせの構成であっても良く、応じて、物理刺激発生回路も同様である。
【０００９】
物理刺激手段１が熱刺激である場合において、美容機器本体２からの制御を受けて３５〜４５℃の熱を発生させて、肌改善を必要とする部位に物理刺激手段１を当てて熱刺激を与える。
【００１０】
図３は、熱刺激（４０℃）を１日５分、４週間与えたマウス１０匹の群（温熱群）と、熱を与えないマウス１０匹の群（コントロール群）の期間終了後のコラーゲン量を測定した結果である。温熱群は、有意にコラーゲン量が増加していることがわかる。
【００１１】
したがって、この熱刺激により、皮膚に存在する線維芽細胞が刺激されて活性化し、コラーゲンやエスチランの産生が促進されるので、肌の改善が行われる。
【００１２】
また、物理刺激手段として、その他の熱刺激では、近赤外領域及び遠赤外領域の波長の光を照射することに、前記照射された光が皮膚内で熱となり、皮膚に存在する繊維芽細胞を活性化させて、コラーゲンやエスチランの産生を促進するものや、蒸気を肌に作用させてコラーゲンやエスチランの産生を促進するものでも構わない。
【００１３】
また、物理刺激手段として、超音波等の振動刺激でも構わない。この超音波刺激は、例えば、０．２〜５ＭＨz、０．１〜２Ｗ／ｃｍ２の条件で肌に与えた超音波振動により、皮膚に存在する繊維芽細胞を活性化させて、コラーゲンやエスチランの産生を促進させる。
【００１４】
また、物理刺激手段として、低周波による電気刺激でも構わない。この低周波の電気刺激は、０．２〜５０００Ｈｚ、１０μＡ〜１０ｍＡの条件で肌に与えた低周波刺激により、皮膚に存在する繊維芽細胞を活性化させて、コラーゲンやエスチランの産生を促進させる。
【００１５】
その他の物理刺激手段として、負イオンを発生させるものなどでも良い。この負イオンが、皮膚に存在する繊維芽細胞を活性化させて、コラーゲンやエスチランの産生を促進させる。
【００１６】
図４は、本願発明の他の実施形態である美容機器を示している。この実施形態の美容機器は、物理刺激手段１として肌に超音波を与える超音波照射具５と、皮膚と物理刺激手段の間に補助媒体３を挿入したものである。その他の構成は、図１の構成と同様である。
【００１７】
この補助媒体３は、超音波を減衰させないためのものであり、超音波を効率的に皮膚に伝達させる。
【図面の簡単な説明】
【００１８】
【図１】本願発明の一実施形態である美容機器を示す説明図である。
【図２】同実施形態の美容機器を示す説明図である。
【図３】同実施形態の美容機器による実験結果を示すグラフである。
【図４】本願発明の他の実施形態である美容機器を示す全体斜視図である。
【符号の説明】
【００１９】
１  物理刺激手段
２  美容機器本体
３  補助媒体
４  皮膚
５  超音波照射具
【図１】
2005334517.tif 000003
【図２】
2005334517.tif 000004
【図３】
2005334517.tif 000005
【図４】
2005334517.tif 000006
(57)【要約】【目的】  手作業でしかおこなえなかった商品前出し業務を短時間で効率良い作業ができる。【構成】  先端部３の針金状の部分に適度な角度をつけることにより、商品を確実に移動する。飲料前出し用具全体１の長さによって奥の商品や手を入れにくい場所にある商品を前に出す。手の力を最小限に飲料前出し用具の実施５をおこなう。【選択図】  図５
2005334592.tif 000002
【特許請求の範囲】
【請求項１】
針金状の器具の先端を、釣針のように曲げ飲料を引っかけながらかつ側面で押さえつつ、飲料をまとめて前出し出来るようにした、飲料前出し用具。
【請求項２】
先端の部分とは対角線定にアーチをつけながら直角に曲げ、手もとの部分を操作しやすいようにした、飲料前出し用具。
【発明の詳細な説明】
【発明の詳細な説明】
【０００１】  本発明は、棚に並べてある飲料容器やペットボトルなどを、アーチ型の針金状の先端を容器の隙間に差し入れて、手前に引き寄せ短時間で前だし作業を可能とする道具である。又、本発明は、人間の片腕の長さに相当する延長部があることにより商品棚最奥部の商品にも最適な長さである。さらに、手元が棒状のものに対して、本発明は湾曲させた握り部分を作ることで、手にかかる負担を最小限にし、商品をより効率的に引き出すことが可能である。
【０００２】  従来は、全て手作業による前出し業務が行なわれていたため、商品棚によっては手を伸ばし奥にある飲料容器を前に出すのが困難である場合や、商品が密集している状態では、前出しを行なう際にかなりの時間を要する、非常に骨の折れる作業であった。
【０００３】  本発明は、商品棚の最上段及び下方の段においても例外なく最奥部の商品を楽に前出しすることが可能になった。又、一度に大量の飲料容器を動かすことが出来るため、従来の三分の一の業務時間に短縮された。さらに、飲料容器に関してはペットボトル、缶、ビンなどを問わず応用が可能である。つまり、缶詰や麺スープ、他のビン容器等の前出しも含め、多岐にわたって応用出来る。
【図面の簡単な説明】
【図１】飲料前出し用具の全体図である。
【図２】商品側真上図である。
【図３】先端部拡大図である。
【図４】飲料前出し用具を使用した正面図である。
【図５】飲料前出し用具の実施例である。
【符号の説明】
１  飲料前出し用具の太さ、３ミリ以内が用いやすい。
２  飲料前出し用具の長さ、約３０センチ程度が適当。
３  飲料前出し用具商品側。先端を左に約１０度傾けることにより、左側にひねった際、手首が安定した状態となり楽に引き出すことが出来る。
４  飲料前出し用具、正面からの使用時。右手に持ちペットボトル等の隙間に飲料前出し用具を通す。
５  飲料前出し用具を約９０度反時計回りにひねる。手首を９０度ひねることによってペットボトル等に引っかかる。
６  飲料前出し用具の先端が引っかかった状態で手前に引き、商品を前に出す。
【図１】
2005334592.tif 000003
【図１】
2005334592.tif 000004
【手続補正書】
【提出日】平成16年8月18日(2004.8.18)
【手続補正１】
【補正対象書類名】図面
【補正対象項目名】全図
【補正方法】変更
【補正の内容】
【図１】
2005334592.tif 000005
【図２】
2005334592.tif 000006
【図３】
2005334592.tif 000007
【図４】
2005334592.tif 000008
【図５】
2005334592.tif 000009